(57)【要約】【目的】  アナログ放送チャンネルとディジタル放送チャンネルの両方を効率的に短時間でサーチすることができる放送受信装置を提供する。【構成】  アナログ放送用チューナ２Ａを用いた第１チャンネルサーチの１回の処理により、アナログ放送チャンネルの検出みならずディジタル放送チャンネルの存在をも推定し、ディジタル放送チャンネルの情報取得についてはそのチャンネルの選局時や第２チャンネルサーチにより第１チャンネルサーチとは切り離して行うこととすることで、第１チャンネルサーチ（全チャンネルサーチ）を効率的に短時間で終了することができる。ディジタル放送チャンネルの情報を取得する第２チャンネルサーチにおいては、サーチ対象となる物理チャンネルは前記推定済みのチャンネルに絞って少なくし、ディジタル放送情報をも取得するとした全体的なチャンネルサーチも効率的に短時間で終了することができる。【選択図】        図１
2005117094.tif 000002
【特許請求の範囲】
【請求項１】
アナログ放送用チューナ及びディジタル放送用チューナの両方を備えた放送受信装置において、アナログ放送及びディジタル放送の帯域のチャンネルを前記アナログ放送用チューナにて順次に選局させる手段と、選局したチャンネルの信号についてのオートゲインコントローラ信号及び同期信号の有無情報を取得する手段と、前記同期信号が検出されたチャンネルの選局情報はアナログ放送チャンネルとしてメモリに格納する一方、前記オートゲインコントローラ信号に基づいて放送波有りと判断され且つ前記同期信号無しと判定されたチャンネルの選局情報はディジタル放送チャンネルとしてメモリに格納する手段と、を備えたことを特徴とする放送受信装置。
【請求項２】
請求項１に記載の放送受信装置において、前記メモリに格納されたディジタル放送チャンネルを前記ディジタル放送用チューナにて順次に選局させる手段と、各ディジタル放送チャンネルの受信で得られた情報をメモリに格納する手段と、を備えたことを特徴とする放送受信装置。
【発明の詳細な説明】
【技術分野】
【０００１】
この発明は、ディジタル放送及びアナログ放送の両方を受信する放送受信装置に関する。
【背景技術】
【０００２】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、このようなディジタルテレビ放送を受信するディジタルチューナと共に、従来からのアナログ放送を受信するアナログチューナも備えたディジタル・アナログ放送受信装置を構成することができる。放送受信装置における有局チャンネルのサーチ処理では、ディジタルチューナ側でのサーチ処理とアナログチューナ側でのサーチ処理を二つのＣＰＵにて並行して実行することにより、チャンネルサーチ時間の短縮を図る技術が知られている（特許文献１参照）。
【特許文献１】特開２００２−１７１４５３号公報
【発明の開示】
【発明が解決しようとする課題】
【０００４】
しかしながら、たとえ一つのＣＰＵによるチャンネルサーチでも効率的に短時間でアナログ放送チャンネル及びディジタル放送チャンネルのサーチを行うことが求められる。
【０００５】
この発明は、上記の事情に鑑み、アナログ放送チャンネルとディジタル放送チャンネルの両方を効率的に短時間でサーチすることができる放送受信装置を提供することを目的とする。
【課題を解決するための手段】
【０００６】
この発明の放送受信装置は、上記の課題を解決するために、アナログ放送用チューナ及びディジタル放送用チューナの両方を備えた放送受信装置において、アナログ放送及びディジタル放送の帯域のチャンネルを前記アナログ放送用チューナにて順次に選局させる手段と、選局したチャンネルの信号についてのオートゲインコントローラ信号及び同期信号の有無情報を取得する手段と、前記同期信号が検出されたチャンネルの選局情報はアナログ放送チャンネルとしてメモリに格納する一方、前記オートゲインコントローラ信号に基づいて放送波有りと判断され且つ前記同期信号無しと判定されたチャンネルの選局情報はディジタル放送チャンネルとしてメモリに格納する手段と、を備えたことを特徴とする。
【０００７】
上記の構成であれば、アナログ放送用チューナを用いたチャンネルサーチの１回の処理により、アナログ放送チャンネルの検出みならずディジタル放送チャンネルの存在をも推定し、ディジタル放送チャンネルの送信情報取得については上記チャンネルサーチとは切り離して行うこととすることで、上記チャンネルサーチ（全チャンネルサーチ）を効率的に短時間で終了することができる。
【０００８】
前記メモリに格納されたディジタル放送チャンネルを前記ディジタル放送用チューナにて順次に選局させる手段と、各ディジタル放送チャンネルの受信で得られた情報をメモリに格納する手段と、を備えるのがよい。かかる構成では、サーチ対象となる物理チャンネルは前記推定済みのチャンネルに絞られて少なくなるのであるから、全体的な（ディジタル放送送信情報をも取得するとした）チャンネルサーチ処理が効率的に短時間で終了することになる。
【発明の効果】
【０００９】
この発明によれば、アナログ放送チャンネルとディジタル放送チャンネルの両方を効率的に短時間でサーチすることができるという効果を奏する。
【発明を実施するための最良の形態】
【００１０】
以下、この発明の実施形態を図１乃至図３に基づいて説明する。
【００１１】
図１において、地上波アンテナ１Ａ・１Ｂは屋外において所定の方向に向けて配置されており、地上波放送信号を受信する。この地上波アンテナ１Ａ・１Ｂは受信した信号をチューナ２Ａ・２Ｂに与える。
【００１２】
アナログチューナ２Ａは、アンテナ１からのＲＦ（高周波信号）を選局し中間周波（ＩＦ）に変換する。このチューナ２Ａは、受信ＲＦ信号を増幅する初段増幅器、外部からの制御電圧によってゲインを可変とするＡＧＣアンプ、電圧制御発振器で発生するローカル周波数と受信ＲＦ信号との差周波数であるＩＦ信号を生成するミキサ、システムコントローラ１３から与えられる選局データにより電圧制御発振器を所定の一定周波数出力状態に制御するＰＬＬ回路等を備えてなる。中間周波数（ＩＦ）回路３は、中間周波増幅器、及び各種のトラップ回路を備えてチューナ２Ａから出力される中間周波数の信号のなかから必要な帯域の周波数を高利得で増幅する。検波回路（映像信号生成回路）４は、増幅された中間周波数の映像信号を検波してカラーテレビ信号（輝度信号、色信号、同期信号）を取り出すと共に中間周波数の音声信号を検波する。ＡＧＣ回路１１は、映像信号レベルを検出し、この映像信号レベルが一定となるように中間周波数回路３の増幅器に（更には、チューナ２Ａにも）、ＡＧＣ電圧値（増幅度設定値）を与える。更に、ＡＧＣ回路１１は、ＡＧＣ電圧値と基準電圧値とを比較し、ＡＧＣ電圧値が基準電圧値より低い場合に放送波有りを示す検出信号（ＡＧＣ＝ＬＯＷ）をシステムコントローラ１３に出力する。ＡＧＣ電圧値は受信信号レベルが高いほど電圧が下がる方式が主流であるため、その特性を利用し、極弱電界信号では無信号（放送波無し）と判断するように比較電圧を設定する。更に、検波回路４は、映像同期信号の有無を検出し、映像同期信号が在ればそれを示す検出信号（ＳＹＮＣ＝ＨＩ）をシステムコントローラ１３に供給する。システムコントローラ１３は、後述するチャンネルサーチに際して、ＡＧＣ回路１１からの検出信号及び検波回路４からの検出信号を利用する。アナログチューナ２Ａ、中間周波数回路３、及び検波回路４はバス（例えば、ＩＩＣバス等）を介してシステムコントローラ１３により制御される。
【００１３】
ディジタルチューナ２Ｂは、上述したアナログチューナ２Ａと同様の周波数選択機能を備えると共に、復調回路、逆インタリーブ回路、誤り訂正回路などを備え、選択したディジタル変調信号を復調してトランスポート・ストリームを出力する。
【００１４】
デマルチプレクサ（ＤＥＭＵＸ）５は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをディジタル放送信号処理部６に供給し、ＰＳＩ／ＳＩに含まれる番組情報等をシステムコントローラ１３に供給する。
【００１５】
ディジタル放送信号処理部６は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データ／音声データはＤ／Ａ変換されて映像信号／音声信号に変換される。
【００１６】
マルチプレクサ（ＭＵＸ）７は、アナログ放送による映像／音声信号とディジタル放送による映像／音声信号とを入力する。そして、マルチプレクサ７はシステムコントローラ１３からの指示によって、いずれかの映像／音声信号を選択して出力する。
【００１７】
出力処理部８は、マルチプレクサ７にて選択出力された映像信号のなかの輝度信号を受像部（ＣＲＴ）１０を駆動するのに必要な大きさに増幅したり、色副搬送波を発生し、これを用いて搬送色信号から色差信号を復調するなどの処理を行い、この処理信号を受像部１０に供給する。また、マルチプレクサ７にて選択出力された音声信号を増幅してスピーカ９に供給する。更に、出力処理部８は、後述するＯＳＤ（オンスクリーンディスプレイ）回路１５から出力されるＯＳＤ信号を受信映像信号に組み込む処理を行う。
【００１８】
ＯＳＤ回路１５は、システムコントローラ１３から出力指示された文字情報や色情報に基づく映像データを処理し、ＯＳＤ信号として出力処理部８に出力するようになっている。このＯＳＤ回路１５により、メニュー画面や各種設定画面などの表示が行えることになる。
【００１９】
リモコン送信機１７は、各種のキーを備えて当該放送受信装置に各種指令を送出すものであり、前記キーを操作すると、そのキーに対応した指令を意味する信号光（リモコン信号）が発光部から送出される。リモコン受光器１６は、前記信号光を受光し、これを電気信号に変換してシステムコントローラ１３に与える。
【００２０】
メモリ（例えば、ＲＡＭ、ＥＥＰＲＯＭ、フラッシュメモリ等）１４には、アナログチャンネル情報（周波数情報、ポジションに対応させたチャンネルリストや事業者名などの情報）、ディジタルチャンネル情報（周波数情報、リモコンキーＩＤに対応させたチャンネルリストや事業者名などの情報）、各種設定情報などが格納される。
【００２１】
第１チャンネルサーチ処理を図２のフローチャートに基づいて説明していく。システムコントローラ１３は、例えば、初回電源投入時、自動的にアナログチューナ２Ａに地上波アナログ放送及び地上波ディジタル放送が送信される帯域のなかで最も低い周波数を選局させる。システムコントローラ１３は、ＡＧＣ回路１１から「ＡＧＣ＝ＬＯＷ」が出力されたかどうかを判定する（ステップＳ１）。ＡＧＣ＝ＬＯＷが出力されるということは、そのチャンネル（物理チャンネル）に強い放送波が存在していることになる。ＡＧＣ＝ＬＯＷが出力されない場合にはステップＳ５に進み、ＡＧＣ＝ＬＯＷが出力されたときには、検波回路４から「ＳＹＮＣ＝ＨＩ」が出力されたかどうかを判定する（ステップＳ２）。ＳＹＮＣ＝ＨＩが出力されるということは、受信波がアナログ放送波であることを意味する。システムコントローラ１３は、ＳＹＮＣ＝ＨＩが出力されないときには、当該チャンネルをディジタルチャンネルとしてメモリ１４に記憶し（ステップＳ３）、ＳＹＮＣ＝ＨＩが出力されたときには、アナログチャンネルとしてメモリ１４に記憶する（ステップＳ４）。そして、選局チャンネルが最上位チャンネルであるかどうかを判断し（ステップＳ５）、最上位チャンネルでないときには次に周波数が高いチャンネルへシフトし（ステップＳ６）ステップＳ１に戻る。最上位チャンネルであるときには選局サーチ処理を終了する。
【００２２】
次に、第２チャンネルサーチ処理を図３のフローチャートに基づいて説明していく。この処理での対象チャンネルは、前記メモリ１４に記憶されたディジタル放送チャンネルである。また、第２チャンネルサーチ処理は、第１チャンネルサーチ処理とは独立して任意のとき（電源ＯＦＦ時やユーザ指示があったとき等）にも実行される。システムコントローラ１３は、例えば前記メモリ１４から最も周波数が低いチャンネルの周波数情報を取得し、ディジタル放送用チューナ２Ｂに選局処理を実行させて放送波を受信し、ディジタル送信情報を取得する（ステップＳ１１）。そして、放送事業者等の情報の変更があるかどうかを判断し（ステップＳ１２）、変更がないときにはステップＳ１５へ進む。一方、情報に変更があるときにはメモリ１４の内容を更新する（ステップＳ１３）。そして、判定中のチャンネルが記憶済み最上位チャンネルであるかどうかを判断し（ステップＳ１４）、最上位チャンネルでないときには記憶済みの次ＣＨへシフトし（ステップＳ１５）、ステップＳ１１に戻る。最上位チャンネルであるときには選局サーチ処理を終了する。なお、上記のディジタル送信情報の取得において、ＥＰＧ表示に必要な番組情報（番組名、番組開始時間、番組継続時間等）を取得してＥＰＧメモリに格納しておいてもよい。
【００２３】
第２チャンネルサーチ処理により、ディジタルチャンネルにおける放送事業者の変更や既存チャンネルの無局化などの変更を知得することが可能となる。なお、新たなチャンネルでの放送開始やいわゆるアナ−アナ変換については上記第２チャンネルサーチ処理では知得できない。そこで、例えば、１週間ごとに第１チャンネルサーチを勧めるメッセージをテレビＯＮ時などに表示し、ユーザに第１チャンネルサーチの要求を行わせれば、新たなチャンネルでの放送開始等についても知得できることになる。
【００２４】
上記第２チャンネルサーチ処理は、例えば、ユーザがアナログ放送チャンネルの視聴中にでも、ディジタル放送用チューナ２Ｂを動作させることによって実行可能である。また、ディジタル放送チャンネルにおける情報取得については、このようなチャンネルサーチに限らず、ディジタル放送チャンネルの受信時に実行することができる。また、記憶済みのアナログチャンネルについても第２チャンネルサーチ処理と同様に再チャンネルサーチを行うこととしてもよい。
【００２５】
以上説明したように、この発明は、アナログ放送用チューナ２Ａを用いた第１チャンネルサーチの１回の処理により、アナログ放送チャンネルの検出みならずディジタル放送チャンネルの存在をも推定し、ディジタル放送チャンネルの送信情報取得についてはそのチャンネルの選局時や前記第２チャンネルサーチにより第１チャンネルサーチとは切り離して行うこととすることで、第１チャンネルサーチ（全チャンネルサーチ）を効率的に短時間で終了することができる。そして、第２チャンネルサーチにおいては、サーチ対象となる物理チャンネルは前記推定済みのチャンネルに絞られて少なくなるのであるから、検出済みのアナログ放送チャンネルを除いた全物理チャンネルについてディジタル放送サーチを行うこととする場合と比較しても、全体的な（ディジタル放送情報をも取得するとした）チャンネルサーチ処理が効率的に短時間で終了することになる。
【図面の簡単な説明】
【００２６】
【図１】この発明の実施形態の放送受信装置を示したブロック図である。
【図２】チャンネルサーチ処理を示したフローチャートである。
【図３】チャンネルサーチ処理を示したフローチャートである。
【符号の説明】
【００２７】
１Ａ・１Ｂ    アンテナ
２Ａ  アナログチューナ
２Ｂ  ディジタルチューナ
５    デマルチプレクサ（ＤＥＭＵＸ）
１３  システムコントローラ
１４  メモリ
１５  ＯＳＤ回路
１７  リモコン送信機
【図１】
2005117094.tif 000003
【図２】
2005117094.tif 000004
【図３】
2005117094.tif 000005